(57)【要約】【課題】省電力の効果を高めることができる通信装置の省電力制御方法及び通信装置を提供することを目的とする。【解決手段】本発明は、制御メッセージを元に通信装置の省電力制御タイミングを連携させることで、通信装置の省電力効果を高めることとした。本発明に係る通信装置の省電力制御方法は、ＯＮＵ及びＨＧＷのそれぞれが、所定情報に基づき生成した休止時間を含む制御メッセージを他方へ送信する制御メッセージ生成送信手順と、前記制御メッセージを受信した前記ＯＮＵ及び前記ＨＧＷが、前記休止時間、双方の間でフレーム送信を停止する送信停止手順と、前記制御メッセージを受信した前記ＯＮＵ及び前記ＨＧＷが、前記制御メッセージを受信した時刻及び前記前記休止時間に基づき、自身の一部の部品への給電制限を行う給電制御手順と、を行うことを特徴とする。【選択図】図７
2015088823.tif 000002
【特許請求の範囲】
【請求項１】
加入者の通信端末と局側通信装置（ＯＬＴ）とを接続する光通信ネットワークに配置され、前記ＯＬＴと接続する加入者終端装置（ＯＮＵ）と、前記ＯＮＵと前記通信端末とを接続する加入者側ゲートウェイ（ＨＧＷ）と、を含む通信装置の省電力制御方法であって、
前記ＯＮＵ及び前記ＨＧＷのそれぞれが、所定情報に基づき生成した休止時間を含む制御メッセージを他方へ送信する制御メッセージ生成送信手順と、
前記制御メッセージを受信した前記ＯＮＵ及び前記ＨＧＷが、前記休止時間、双方の間でフレーム送信を停止する送信停止手順と、
前記制御メッセージを受信した前記ＯＮＵ及び前記ＨＧＷが、前記制御メッセージを受信した時刻及び前記前記休止時間に基づき、自身の一部の部品への給電制限を行う給電制御手順と、
を行うことを特徴とする通信装置の省電力制御方法。
【請求項２】
前記所定情報が、前記ＯＮＵについては前記ＨＧＷから前記ＯＮＵ自身に流入する上りフレームのフレーム量に関する情報であり、前記ＨＧＷについては前記ＯＮＵから前記ＨＧＷ自身に流入する下りフレームのフレーム量に関する情報であることを特徴とする請求項１に記載の通信装置の省電力制御方法。
【請求項３】
加入者の通信端末と局側通信装置（ＯＬＴ）とを接続する光通信ネットワークに配置され、前記ＯＬＴと接続する加入者終端装置（ＯＮＵ）と、前記ＯＮＵと前記通信端末とを接続する加入者側ゲートウェイ（ＨＧＷ）と、を含む通信装置の省電力制御方法であって、
前記ＯＮＵが、所定情報に基づき生成した休止時間を含む制御メッセージを前記ＨＧＷへ送信する制御メッセージ生成送信手順と、
前記制御メッセージ生成送信手順の後、前記ＯＮＵが前記ＨＧＷへ休止を指示する下りスリープ指示を送信するとともに前記ＨＧＷへの下りフレームのフレーム送信を停止し、前記下りスリープ指示を受信した前記ＨＧＷが下りフレームのフレーム受信を停止する下り方向停止手順と、
前記下り方向停止手順の後、前記ＨＧＷが前記ＯＮＵへ休止を指示する上りスリープ指示を送信するとともに前記ＯＮＵへの上りフレームのフレーム送信を停止し、前記上りスリープ指示を受信した前記ＯＮＵが上りフレームのフレーム受信を停止する上り方向停止手順と、
前記上り方向停止手順の後、前記ＯＮＵ及び前記ＨＧＷが、前記制御メッセージを受信した時刻及び前記前記休止時間に基づき、自身の一部の部品への給電制限を行う給電制御手順と、
を行うことを特徴とする通信装置の省電力制御方法。
【請求項４】
前記所定情報が、前記ＨＧＷから前記ＯＮＵ自身に流入する上りフレームのフレーム量に関する情報であることを特徴とする請求項３に記載の通信装置の省電力制御方法。
【請求項５】
前記所定情報が、前記ＯＬＴから前記ＯＮＵへ送信される省電力制御に関するメッセージであることを特徴とする請求項３に記載の通信装置の省電力制御方法。
【請求項６】
前記給電制御手順では、フレームの送信を停止している前記ＯＮＵ自身及び前記ＨＧＷ自身に入力されるフレームを監視し、フレームに関する情報が所定要件に合致した場合、前記給電制限を解除して送信を再開させることを特徴とする請求項１から５のいずれかに記載の通信装置の省電力制御方法。
【請求項７】
加入者の通信端末と局側通信装置（ＯＬＴ）とを接続する光通信ネットワークに配置され、前記ＯＬＴと接続する加入者終端装置（ＯＮＵ）と、前記ＯＮＵと前記通信端末とを接続する加入者側ゲートウェイ（ＨＧＷ）と、を含む通信装置であって、
前記ＯＮＵ及び前記ＨＧＷのそれぞれは、
所定情報に基づき生成した休止時間を含む制御メッセージを他方へ送信する制御メッセージ生成部を備え、
前記ＯＮＵ及び前記ＨＧＷは、
前記制御メッセージを受信した際に、前記休止時間、双方の間でフレーム送信を停止する送信停止機能と、
前記制御メッセージを受信した時刻及び前記前記休止時間に基づき、自身の一部の部品への給電制限を行う給電制御機能と、
を備えることを特徴とする通信装置。
【請求項８】
前記所定情報が、前記ＯＮＵについては前記ＨＧＷから前記ＯＮＵ自身に流入する上りフレームのフレーム量に関する情報であり、前記ＨＧＷについては前記ＯＮＵから前記ＨＧＷ自身に流入する下りフレームのフレーム量に関する情報であることを特徴とする請求項７に記載の通信装置。
【請求項９】
加入者の通信端末と局側通信装置（ＯＬＴ）とを接続する光通信ネットワークに配置され、前記ＯＬＴと接続する加入者終端装置（ＯＮＵ）と、前記ＯＮＵと前記通信端末とを接続する加入者側ゲートウェイ（ＨＧＷ）と、を含む通信装置であって、
前記ＯＮＵは、
所定情報に基づき生成した休止時間を含む制御メッセージを前記ＨＧＷへ送信する制御メッセージ生成部を有し、
前記ＯＮＵ及び前記ＨＧＷは、
前記ＯＮＵが前記ＨＧＷへ休止を指示する下りスリープ指示を送信するとともに前記ＨＧＷへの下りフレームのフレーム送信を停止し、前記下りスリープ指示を受信した前記ＨＧＷが下りフレームのフレーム受信を停止する下り方向停止機能と、
前記ＨＧＷが前記ＯＮＵへ休止を指示する上りスリープ指示を送信するとともに前記ＯＮＵへの上りフレームのフレーム送信を停止し、前記上りスリープ指示を受信した前記ＯＮＵが上りフレームのフレーム受信を停止する上り方向停止機能と、
前記制御メッセージを受信した時刻及び前記前記休止時間に基づき、自身の一部の部品への給電制限を行う給電制御機能と、
を備えることを特徴とする通信装置。
【請求項１０】
前記所定情報が、前記ＨＧＷから前記ＯＮＵ自身に流入する上りフレームのフレーム量に関する情報であることを特徴とする請求項９に記載の通信装置。
【請求項１１】
前記所定情報が、前記ＯＬＴから前記ＯＮＵへ送信される省電力制御に関するメッセージであることを特徴とする請求項９に記載の通信装置。
【請求項１２】
前記給電制御機能は、フレームの送信を停止している前記ＯＮＵ自身及び前記ＨＧＷ自身に入力されるフレームを監視し、フレームに関する情報が所定要件に合致した場合、前記給電制限を解除して送信を再開させることを特徴とする請求項７から１１のいずれかに記載の通信装置。
【発明の詳細な説明】
【技術分野】
【０００１】
本発明は、加入者終端装置と加入者ゲートウェイ装置間での制御信号を用いた省電力制御方法に関する。
【背景技術】
【０００２】
近年、ＦＴＴＨ（Ｆｉｂｅｒ  Ｔｏ  Ｔｈｅ  Ｈｏｍｅ）を含むブロードバンドな通信インフラが世界で整いつつあり、多様なＩＣＴ（Ｉｎｆｏｒｍａｔｉｏｎ  ａｎｄ  Ｃｏｍｍｕｎｉｃａｔｉｏｎ  Ｔｅｃｈｎｏｌｏｇｙ）サービスを展開する契機となっている。
【０００３】
図１及び図２は、次世代ネットワークＮＧＮ（Ｎｅｘｔ  Ｇｅｎｅｒａｔｉｏｎ  Ｎｅｔｗｏｒｋ）における光アクセスシステムの代表的なネットワーク構成を説明する図である。図１の光アクセスシステムは、加入者終端装置（Ｏｐｔｉｃａｌ  Ｎｅｔｗｏｒｋ  Ｕｎｉｔ：ＯＮＵ）２００と局側通信装置（Ｏｐｔｉｃａｌ  Ｌｉｎｅ  Ｔｅｒｍｉｎａｌ：ＯＬＴ）１００とが１対１で接続されるシングルスター構成（Ｓｉｎｇｌｅ  Ｓｔａｒ：ＳＳ）であり、図２の光アクセスシステムは、複数のＯＮＵ２００が１つのＯＬＴ１００に接続される受動光ネットワーク（Ｐａｓｓｉｖｅ  Ｏｐｔｉｃａｌ  Ｎｅｔｗｏｒｋ：ＰＯＮ）構成である。図２のＰＯＮ構成は、ＯＮＵ２００、ＯＬＴ１００、光ファイバ伝送路１５０、光スプリッタ２５０、ホームゲートウェイ（Ｈｏｍｅ  Ｇａｔｅｗａｙ：ＨＧＷ）３００から成る。ＰＯＮシステムは、そのトポロジーから、ポイント・トゥ・マルチポイント型光通信システムと呼ばれる。ＳＳシステムにおいては、ＯＮＵ２００がＯＬＴ１００を占有できるので高速通信が可能であるが、装置コストが高いという欠点がある。一方で、ＰＯＮシステムにおいては、複数のＯＮＵ２００が１つのＯＬＴ１００や光ファイバ設備を共有するために経済性に優れるという理由から、多くの光アクセスシステムで採用されている。
【０００４】
ギガビットクラスのＰＯＮの代表的な規格として、ＩＥＥＥ８０２．３ａｈタスクフォースにおいて標準化されたＥＰＯＮ（Ｅｔｈｅｒｎｅｔ（登録商標）ＰＯＮ）がある。また、ＩＥＥＥ８０２．３ａｖタスクフォースにおいて、１０ギガビットクラスのＰＯＮシステムである１０Ｇ−ＥＰＯＮが標準化された。
【０００５】
一方で、昨今の環境負荷軽減に向けてネットワークの省電力化が要求されている。特に光アクセスネットワークの消費電力はＮＧＮにおける消費電力の約８０％を占めると言われている。今後の更なるＦＴＴＨ利用者の普及により、アクセス系宅内装置であるＯＮＵやＨＧＷの数量増加に伴い、更なる消費電力量の増加が懸念される。このような状況を鑑み、光アクセスシステムの省電力化が検討されている。例えば、ＩＴＵ−Ｔ勧告Ｇ．９８７．３やＩＥＥＥ  Ｐ１９０４．１  ＳＩＥＰＯＮ（Ｓｅｒｖｉｃｅ  Ｉｎｔｅｒｏｐｅｒａｂｉｌｉｔｙ  ｉｎ  Ｅｔｈｅｒｎｅｔ（登録商標）  ＰＯＮ）では、ＯＮＵの省電力化技術としてＯＮＵスリープが規定されている。
【０００６】
本技術は、トラヒック非流通時にＯＮＵの送信器（Ｔｒａｎｓｍｉｔｔｅｒ：Ｔｘ）または送受信器（Ｔｒａｎｓｃｅｉｖｅｒ：ＴＲｘ）への給電制御を行うことで、ＯＮＵの省電力化を行う。一定周期にわたるスリープ動作が繰り返される特徴があり、一般的にスリープ状態とアクティブ状態で構成される。また、ＩＥＥＥ８０２．３ａｚタスクフォースにおいては、電気媒体を用いたイーサネット（登録商標）方式における省電力化技術として、Ｅｎｅｒｇｙ  Ｅｆｆｉｃｉｅｎｔ  Ｅｔｈｅｒｎｅｔ（登録商標）（ＥＥＥ）が規定されている。本技術は、トラヒック非流通時に物理インターフェースへの給電制御を行うことで、通信装置の省電力化を行う。ＥＥＥは昨今導入が進んでおり、例えばＯＮＵとＨＧＷ間の物理インターフェースについても適用が検討されている。
【０００７】
図３に、ＯＮＵ２００およびＨＧＷ３００を含む通信装置の構成を示す。図３に示すように、ＯＮＵ２００は主に、ＯＮＵとＯＬＴとの間で流通するフレームを送受信する送受信部２１、フレームの転送に関わる通常処理部２２と、上りおよび下りフレームを蓄積するキュー管理部２３、キュー管理部に流入するフレームを監視する観測部２４、タイマ２５、ＯＮＵの一部の機能への給電停止を制御するスリープ／起動制御部２６、ＯＮＵとＨＧＷ間で流通するフレームを送受信するフレーム送受信部２７、及びフレーム送受信部の停止と起動を制御する停止／起動制御部２８を備える。
【０００８】
また、ＨＧＷは主に、フレームの転送に関わる通常処理部３２と、上りおよび下りフレームを蓄積するキュー管理部３３、キュー管理部に流入するフレームを監視する観測部３４、タイマ３５、ＯＮＵとＨＧＷとの間で流通するフレームを送受信するフレーム送受信部３７、及び、フレーム送受信部の停止と起動を制御する停止／起動制御部３８を備える。
【０００９】
次に、ＯＮＵスリープとＥＥＥにおける省電力動作を説明する。まず、図４に示すＯＮＵスリープのシーケンスを用いてＯＮＵスリープにおける動作を説明する。ＯＬＴは、所定の時間、無通信状態を検出すると、省電力制御開始のメッセージであるＳｌｅｅｐ許可をＯＮＵへ送信する。本メッセージ受信したＯＮＵは、無通信状態の場合、応答メッセージであるＡＣＫを送信し、一定時間後にＯＮＵを構成する一部の部品に対して給電制御を開始する。その後ＯＮＵは、給電制御を行うＳｌｅｅｐと通常状態のＡｃｔｉｖｅを決められた期間で繰り返す。その際に、制御フレームであるＧａｔｅおよび送信要求情報を載せるフレームであるＲｅｐｏｒｔをＯＬＴとＯＮＵ間でやり取りする。
【００１０】
図４に示す様に、ＯＬＴに下りフレームが発生した場合、ＯＬＴはＯＮＵに対してＡｗａｋｅ要求を送信し、ＯＮＵは通常起動モードになり、ＡＣＫをＯＬＴへ送信する。ＯＬＴは、このＡＣＫを受け、データ蓄積量に関する情報を載せたＧａｔｅを送信し、データを送信する。逆に、ＯＮＵに上りフレームが発生した場合、ＯＬＴからのＧａｔｅに対してＡｗａｋｅ要求を送信し通常起動モードになる。ＯＬＴからのＧａｔｅに対してデータ蓄積量に関する情報を載せＲｅｐｏｒｔ送信し、ＯＬＴから送信時間及び送信許可量を含むＧａｔｅを受信した後にデータを送信する。
【００１１】
次に図５に示すＥＥＥのシーケンスを用いてＥＥＥにおける省電力動作を説明する。ＨＧＷへ所定の時間上りフレームが流入しない場合、ＨＧＷは、自身の上りフレーム送信部に対して停止を指示するＳｌｅｅｐ信号を送信させ、自身の上りフレーム送信部を停止する。また、ＨＧＷは上りフレーム送信部が停止指示を受けると、当該指示がＯＮＵの上りフレーム受信部にも伝達される。ＯＮＵは、当該Ｓｌｅｅｐ信号を受信すると、自身の上りフレーム受信部を停止する。上りフレーム送信部の停止中に、ＨＧＷが上りフレームを受信した場合には、当該上りフレームをＨＧＷの上りバッファに蓄積する。
【００１２】
同様に、ＯＮＵへ所定の時間下りフレームが流入しない場合、ＯＮＵは、自身の下りフレーム送信部に対して、停止を指示するＳｌｅｅｐ信号を送信させ、自身の下りフレーム送信部を停止する。また、ＯＮＵは下りフレーム送信部が停止指示を受けると、当該指示がＨＧＷの下りフレーム受信部にも伝達される。ＨＧＷは、当該Ｓｌｅｅｐ信号を受信すると、自身の下りフレーム受信部を停止する。下りフレーム送信部の停止中に、ＯＮＵが下りフレームを受信した場合には、当該下りフレームをＯＮＵの下りバッファに蓄積する。
【００１３】
その後、ＯＮＵは、下りフレーム送信部が起動指示を受けると下りフレーム送信部を起動開始し、当該指示をＨＧＷの下りフレーム受信部に伝達する。当該指示によりＨＧＷは下りフレーム受信部を起動開始する。フレーム送受信部の停止期間中は、定期的にＳｌｅｅｐ信号とＡｗａｋｅ信号を送信し、フレーム送受信部の停止と起動を繰り返す。
【先行技術文献】
【非特許文献】
【００１４】
【非特許文献１】ＩＴＵ−Ｔ勧告Ｇ．９８７．３
【非特許文献２】ＩＥＥＥ規格８０２．３ａｚ
【非特許文献３】“Ｓｔｕｄｙ  ａｎｄ  Ｄｅｍｏｎｓｔｒａｔｉｏｎ  ｏｆ  Ｓｌｅｅｐ  ａｎｄ  Ａｄａｐｔｉｖｅ  Ｌｉｎｋ  Ｒａｔｅ  Ｃｏｎｔｒｏｌ  Ｍｅｃｈａｎｉｓｍｓ  ｆｏｒ  Ｅｎｅｒｇｙ  Ｅｆｆｉｃｉｅｎｔ  １０Ｇ−ＥＰＯＮ”，  ＩＥＥＥ／ＯＳＡＪｏｕｒｎａｌ  ｏｆ  Ｏｐｔｉｃａｌ  Ｃｏｍｍｕｎｉｃａｔｉｏｎｓ  ａｎｄ  Ｎｅｔｗｏｒｋｉｎｇ  Ｖｏｌ．  ２，  Ｎｏ．９，  ｐｐ．７１６−７２９，  Ｓｅｐｔｅｍｂｅｒ，  ２０１０
【発明の概要】
【発明が解決しようとする課題】
【００１５】
非特許文献１、２のような省電力化技術が標準化や非特許文献３のような光アクセスシステムの省電力化に関する検討が行われてきた。しかしながら、例えば、非特許文献１に記載のＩＥＥＥ８０２．３ａｚ対応の装置が、当該制御を利用した場合、送信側と受信側の給電制御信号である省電力アイドル（ＬＰＩ：Ｌｏｗ  Ｐｏｗｅｒ  Ｉｄｌｅ）信号は独立して制御されるため、自装置からの送信フレームが対向にＬＰＩ信号を出しても、対向装置がＬＰＩ状態への遷移判定を行うための判定時間内にフレームが送信されると、ＬＰＩ状態に入れず、給電制御時間が短くなり、省電力の効果を高めることが難しいという課題があった。
【００１６】
そこで、本発明は、上記課題を解決するために、省電力の効果を高めることができる通信装置の省電力制御方法及び通信装置を提供することを目的とする。
【課題を解決するための手段】
【００１７】
上記目的を達成するために、本発明は、制御メッセージを元に通信装置の省電力制御タイミングを連携させることで、通信装置の省電力効果を高めることとした。
【００１８】
具体的には、本発明に係る１の通信装置の省電力制御方法は、
加入者の通信端末と局側通信装置（ＯＬＴ）とを接続する光通信ネットワークに配置され、前記ＯＬＴと接続する加入者終端装置（ＯＮＵ）と、前記ＯＮＵと前記通信端末とを接続する加入者側ゲートウェイ（ＨＧＷ）と、を含む通信装置の省電力制御方法であって、
前記ＯＮＵ及び前記ＨＧＷのそれぞれが、所定情報に基づき生成した休止時間を含む制御メッセージを他方へ送信する制御メッセージ生成送信手順と、
前記制御メッセージを受信した前記ＯＮＵ及び前記ＨＧＷが、前記休止時間、双方の間でフレーム送信を停止する送信停止手順と、
前記制御メッセージを受信した前記ＯＮＵ及び前記ＨＧＷが、前記制御メッセージを受信した時刻及び前記前記休止時間に基づき、自身の一部の部品への給電制限を行う給電制御手順と、
を行うことを特徴とする。
【００１９】
具体的には、本発明に係る１の通信装置は、
加入者の通信端末と局側通信装置（ＯＬＴ）とを接続する光通信ネットワークに配置され、前記ＯＬＴと接続する加入者終端装置（ＯＮＵ）と、前記ＯＮＵと前記通信端末とを接続する加入者側ゲートウェイ（ＨＧＷ）と、を含む通信装置であって、
前記ＯＮＵ及び前記ＨＧＷのそれぞれは、
所定情報に基づき生成した休止時間を含む制御メッセージを他方へ送信する制御メッセージ生成部を備え、
前記ＯＮＵ及び前記ＨＧＷは、
前記制御メッセージを受信した際に、前記休止時間、双方の間でフレーム送信を停止する送信停止機能と、
前記制御メッセージを受信した時刻及び前記休止時間に基づき、自身の一部の部品への給電制限を行う給電制御機能と、
を備えることを特徴とする。
【００２０】
本発明は、一方の装置が他方の装置から送信されてくる通信量を測定し、一定時間送信信号が無い場合、他方の装置の送受信部を停止させる制御フレームを互いに送信しあう。それぞれの装置が相手の通信状態に基づいてスリープするので省電力のタイミングを合わせることができる。従って、本発明は、省電力の効果を高めることができる通信装置の省電力制御方法及び通信装置を提供することができる。
【００２１】
前記制御メッセージを生成する契機となる所定情報は、例えば以下の通りである。
【００２２】
本発明に係る１の通信装置及びその省電力制御方法は、前記所定情報が、前記ＯＮＵについては前記ＨＧＷから前記ＯＮＵ自身に流入する上りフレームのフレーム量に関する情報であり、前記ＨＧＷについては前記ＯＮＵから前記ＨＧＷ自身に流入する下りフレームのフレーム量に関する情報であることを特徴とする。
【００２３】
具体的には、本発明に係る他の通信装置の省電力制御方法は、
加入者の通信端末と局側通信装置（ＯＬＴ）とを接続する光通信ネットワークに配置され、前記ＯＬＴと接続する加入者終端装置（ＯＮＵ）と、前記ＯＮＵと前記通信端末とを接続する加入者側ゲートウェイ（ＨＧＷ）と、を含む通信装置の省電力制御方法であって、
前記ＯＮＵが、所定情報に基づき生成した休止時間を含む制御メッセージを前記ＨＧＷへ送信する制御メッセージ生成送信手順と、
前記制御メッセージ生成送信手順の後、前記ＯＮＵが前記ＨＧＷへ休止を指示する下りスリープ指示を送信するとともに前記ＨＧＷへの下りフレームのフレーム送信を停止し、前記下りスリープ指示を受信した前記ＨＧＷが下りフレームのフレーム受信を停止する下り方向停止手順と、
前記下り方向停止手順の後、前記ＨＧＷが前記ＯＮＵへ休止を指示する上りスリープ指示を送信するとともに前記ＯＮＵへの上りフレームのフレーム送信を停止し、前記上りスリープ指示を受信した前記ＯＮＵが上りフレームのフレーム受信を停止する上り方向停止手順と、
前記上り方向停止手順の後、前記ＯＮＵ及び前記ＨＧＷが、前記制御メッセージを受信した時刻及び前記前記休止時間に基づき、自身の一部の部品への給電制限を行う給電制御手順と、
を行うことを特徴とする。
【００２４】
具体的には、本発明に係る他の通信装置は、
加入者の通信端末と局側通信装置（ＯＬＴ）とを接続する光通信ネットワークに配置され、前記ＯＬＴと接続する加入者終端装置（ＯＮＵ）と、前記ＯＮＵと前記通信端末とを接続する加入者側ゲートウェイ（ＨＧＷ）と、を含む通信装置であって、
前記ＯＮＵは、
所定情報に基づき生成した休止時間を含む制御メッセージを前記ＨＧＷへ送信する制御メッセージ生成部を有し、
前記ＯＮＵ及び前記ＨＧＷは、
前記ＯＮＵが前記ＨＧＷへ休止を指示する下りスリープ指示を送信するとともに前記ＨＧＷへの下りフレームのフレーム送信を停止し、前記下りスリープ指示を受信した前記ＨＧＷが下りフレームのフレーム受信を停止する下り方向停止機能と、
前記ＨＧＷが前記ＯＮＵへ休止を指示する上りスリープ指示を送信するとともに前記ＯＮＵへの上りフレームのフレーム送信を停止し、前記上りスリープ指示を受信した前記ＯＮＵが上りフレームのフレーム受信を停止する上り方向停止機能と、
前記制御メッセージを受信した時刻及び前記前記休止時間に基づき、自身の一部の部品への給電制限を行う給電制御機能と、
を備えることを特徴とする。
【００２５】
本発明は、ＯＮＵがＨＧＷへ制御メッセージが送信されたことを契機に、ＯＮＵとＨＧＷとの間で下り信号用と上り信号用のスリープ指示を互いに送信しあう。ＯＮＵとＨＧＷは、このスリープ指示に従い、上り下り別に伝送を停止することができる。具体的には、ＯＮＵの下り送信部とＨＧＷの下り受信部を停止することで下りフレームの伝送を停止でき、ＨＧＷの上り送信部とＯＮＵの上り受信部を停止することで上りフレームの伝送を停止できる。自身の装置に送信するフレームがない状態で送信を停止し、相手装置の受信を停止させるため、相手装置が省電力モードへの遷移判定を行うための判定時間内にフレームが送信されることがない。従って、本発明は、省電力の効果を高めることができる通信装置の省電力制御方法及び通信装置を提供することができる。
【００２６】
前記制御メッセージを生成する契機となる所定情報は、以下の通り２種類ある。
【００２７】
１つは、前記所定情報が、前記ＨＧＷから前記ＯＮＵ自身に流入する上りフレームのフレーム量に関する情報であることを特徴とする。
【００２８】
他は、前記所定情報が、前記ＯＬＴから前記ＯＮＵへ送信される省電力制御に関するメッセージであることを特徴とする。
【００２９】
なお、送信するフレームが緊急を要するような場合、早急に送信を再開しても良い。すなわち、本発明に係る通信装置及びその省電力制御方法は、前記給電制御手順で、フレームの送信を停止している前記ＯＮＵ自身及び前記ＨＧＷ自身に入力されるフレームを監視し、フレームに関する情報が所定要件に合致した場合、前記給電制限を解除して送信を再開させることを特徴とする。
【発明の効果】
【００３０】
本発明は、省電力の効果を高めることができる通信装置の省電力制御方法及び通信装置を提供することができる。
【図面の簡単な説明】
【００３１】
【図１】光アクセスシステムの代表的なネットワーク構成を説明する図である。
【図２】光アクセスシステムの代表的なネットワーク構成を説明する図である。
【図３】ＯＮＵとＨＧＷを含む通信装置の構成を説明する図である。
【図４】ＯＮＵスリープとＥＥＥにおける省電力動作を説明する図である。
【図５】ＥＥＥのシーケンスを用いてＥＥＥにおける省電力動作を説明する図である。
【図６】本発明に係る通信装置の構成を説明する図である。
【図７】本発明に係る通信装置の省電力制御方法を説明する図である。
【図８】本発明に係る通信装置の構成を説明する図である。
【図９】本発明に係る通信装置の省電力制御方法を説明する図である。
【図１０】本発明に係る通信装置の省電力制御方法を説明するフローチャートである。
【図１１】本発明に係る通信装置の省電力制御方法を説明する図である。
【図１２】本発明に係る通信装置の省電力制御方法を説明する図である。
【図１３】本発明に係る通信装置の省電力制御方法を説明する図である。
【図１４】本発明に係る通信装置の省電力制御方法を説明する図である。
【発明を実施するための形態】
【００３２】
添付の図面を参照して本発明の実施形態を説明する。以下に説明する実施形態は本発明の実施の例であり、本発明は以下の実施形態に制限されるものではない。なお、本明細書及び図面において符号が同じ構成要素は、相互に同一のものを示すものとする。以下に記す実施形態は可能な限り組み合わせることができる。
【００３３】
（実施形態１）
図６は、本実施形態の通信装置５０１を説明する図である。通信装置５０１は、加入者の通信端末（不図示）とＯＬＴ（不図示）とを接続する光通信ネットワークに配置され、前記ＯＬＴと接続するＯＮＵ２０１と、ＯＮＵ２０１と前記通信端末とを接続するＨＧＷ３０１と、を含む通信装置であって、
ＯＮＵ２０１及びＨＧＷ３０１のそれぞれは、
所定情報に基づき生成した休止時間を含む制御メッセージを他方へ送信する制御フレーム生成部（４１、４２）を備え、
ＯＮＵ２０１及びＨＧＷ３０１は、
前記制御メッセージを受信した際に、前記休止時間、双方の間でフレーム送信を停止する送信停止機能と、
前記制御メッセージを受信した時刻及び前記前記休止時間に基づき、自身の一部の部品への給電制限を行う給電制御機能と、
を備えることを特徴とする。
【００３４】
通信装置５０１は、ネットワーク回線を終端するＯＮＵ２０１と、ＯＮＵ２０１の下位側に接続されるＨＧＷ３０１を有する。ＯＮＵ２０１は主に、通常処理部２２、キュー管理部２３、観測部２４、タイマ２５、ＯＮＵとＨＧＷとの間のフレーム送受信部２７、停止／起動制御部２８、制御フレーム生成部４１、ＯＮＵ２０１とＯＬＴとの間の送受信部２１、スリープ／起動制御部２６を備える。一方、ＨＧＷは主に、通常処理部３２、キュー管理部３３、観測部３４、タイマ３５、制御フレーム生成部４２、ＨＧＷ３０１とＯＮＵ２０１との間のフレーム送受信部３７、停止／起動制御部３８を備える。図３に示した構成と比べて、ＯＮＵ２０１が制御フレーム生成部４１を、ＨＧＷ３０１が制御フレーム生成部４２を備える点が異なる。
【００３５】
通信装置５０１の省電力制御方法は、前記ＯＮＵ及び前記ＨＧＷのそれぞれが、所定情報に基づき生成した休止時間を含む制御メッセージを他方へ送信する制御メッセージ生成送信手順と、
前記制御メッセージを受信した前記ＯＮＵ及び前記ＨＧＷが、前記休止時間、双方の間でフレーム送信を停止する送信停止手順と、
前記制御メッセージを受信した前記ＯＮＵ及び前記ＨＧＷが、前記制御メッセージを受信した時刻及び前記前記休止時間に基づき、自身の一部の部品への給電制限を行う給電制御手順と、
を行うことを特徴とする。
【００３６】
図６の構成図及び図７のシーケンスを用いて、ＯＮＵがＨＧＷへ制御フレームを送信する省電力動作を説明する。本実施形態では、「所定情報」がＯＮＵ及びＨＧＷへ流入するフレーム量である。
【００３７】
［ＯＮＵでの制御メッセージ生成送信手順］
まず、観測部２４は、ＯＮＵ２０１への上りフレームの入力状況やキュー管理部２３のフレーム蓄積量をモニタする。そして、観測部２４は、タイマ２５が測定する一定時間内にフレーム流入が観測できない場合、停止／起動制御部２８へその旨を通知する。停止／起動制御部２８は、その通知を受け、制御フレーム生成部４１に対して制御フレーム１の生成を指示する。制御フレーム生成部４１により生成された制御フレーム１は、通常処理部２２、あるいはフレーム送受信部２７を介してＨＧＷへ転送される。
【００３８】
制御フレーム１は、例えば、フロー制御のためのフレームとして、ＩＥＥＥ  ８０２．３において規定されるＰａｕｓｅフレームである。また、Ｐａｕｓｅフレームには、ｔ１［ｍｓ］の間、ＨＧＷ３０１からＯＮＵ２０１への上りフレームの送信停止指示に関する情報が含まれている。ｔ１の値は、任意の時間を設定することができる。例えば、３０［ｍｓ］である。ｔ１の値は遅延に関わる。そのため、ｔ１の値は、通信サービスを妨げないように要求される遅延時間を考慮した上で設定される必要がある。
【００３９】
［ＨＧＷでの制御メッセージ生成送信手順］
その後、観測部３４は、ＨＧＷ３０１への下りフレームの入力状況やキュー管理部３３のフレーム蓄積量をモニタする。そして、観測部３４は、タイマ３５が測定する一定時間内にフレーム流入を観測できない場合、停止／起動制御部３８へその旨を通知する。停止／起動制御部３８は、その通知を受け、制御フレーム生成部４２に対して制御フレーム２の生成を指示する。制御フレーム生成部４２により生成された制御フレーム２は、通常処理部３２を介してＯＮＵ２０１へ転送される。
【００４０】
制御フレーム２は、例えば、フロー制御のためのフレームであるＰａｕｓｅフレームである。また、Ｐａｕｓｅフレームには、ｔ２［ｍｓ］の間、ＯＮＵ２０１からＨＧＷ３０１への下りフレームの送信停止指示に関する情報が含まれている。ｔ２［ｍｓ］の値は、任意の時間を設定することができる。例えば、２５［ｍｓ］である。ｔ２の値は遅延に関わる。そのため、ｔ２の値は、通信サービスを妨げないように要求される遅延時間を考慮した上で設定される必要がある。また、ｔ２はｔ１よりも短い時間が設定されることが考えられる。さらに、ｔ１とｔ２は、ＯＮＵとＨＧＷとがほぼ同時に起動できるようにＯＮＵ、ＨＧＷ間でのＲＴＴ（Ｒｏｕｎｄ  Ｔｒｉｐ  Ｔｉｍｅ）を考慮して設定されることが望ましい。
【００４１】
［ＯＮＵの送信停止手順、給電制御手順］
停止／起動制御部２８は、Ｐａｕｓｅフレームを送信させた後、通常処理部２２に対して下りフレーム送信部２７ａ及び上りフレーム受信部２７ｂの停止を指示する。通常処理部２２は、前記指示を受けて適切な時間が経過した後、下りフレーム送信部２７ａ及び上りフレーム受信部２７ｂを停止、すなわちフレーム送受信部２７への給電の制限を始める。ここで、適切な時間とは、ＯＮＵ、ＨＧＷ間でのＲＴＴ（Ｒｏｕｎｄ  Ｔｒｉｐ  Ｔｉｍｅ）が経過した後としても考えられる。
【００４２】
［ＨＧＷの送信停止手順、給電制御手順］
停止／起動制御部３８は、Ｐａｕｓｅフレームを送信させた後、通常処理部３２に対して上りフレーム送信部３７ａ及び下りフレーム受信部３７ｂの停止を指示する。通常処理部３２は、前記指示を受けて適切な時間が経過した後、上りフレーム送信部３７ａ及び下りフレーム受信部３７ｂを停止、すなわちフレーム送受信部３７への給電の制限を始める。
【００４３】
各フレーム送受信部（２７、３７）の停止期間中に流入するフレームは、キュー管理部（２３、３３）内に蓄積される。ＯＮＵ２０１は、タイマ２５で制御メッセージ２を受信してからの時間を計測する。ＨＧＷ３０１は、タイマ３５で制御メッセージ１を受信してからの時間を計測する。ＯＮＵ２０１は、制御メッセージ２を受信してからｔ２経過後、停止／起動制御部２８が通常処理部２２に対してフレーム送受信部２７の起動を指示し、起動させる。また、ＨＧＷ３０１は、制御メッセージ１を受信してからｔ１経過後、停止／起動制御部３８が通常処理部３２に対してフレーム送受信部３７の起動を指示し、起動させる。フレーム送受信部２７とフレーム送受信部３７の起動はほぼ同時であることが望ましい。ＯＮＵ２０１は、フレーム送受信部２７の起動後、ＨＧＷ３０１へＡｗａｋｅ信号を送信する。これを受信したＨＧＷ３０１は、フレーム送受信の準備を完了する。その後、ＯＮＵ２０１及びＨＧＷ３０１は、停止期間中にキュー管理部（２３、３３）内に蓄積されたフレームを相手方へ送信する。
【００４４】
上記例では、制御メッセージ１、２としてＰａｕｓｅフレームを用いたが、Ｐａｕｓｅフレームを拡張したフレームでも良い。また、８０２．１Ｑｂｂにおいて規定されるフレーム優先度を考慮したＰａｕｓｅフレームを用いても良い。また、制御プロトコルであるＬＬＤＰ（Ｌｉｎｋ  Ｌａｙｅｒ  Ｄｉｓｃｏｖｅｒｙ  Ｐｒｏｔｏｃｏｌ）を用いても良い。また、ＯＮＵ２０１とＨＧＷ３０１とを専用の別線で接続し、制御メッセージを前記別線で伝達しても良い。これらの例は、以下の実施形態においても同様である。
【００４５】
以下に、図８の構成図、図９のシーケンス及び図１０のフローチャートを用いて制御メッセージ１、２として、ＩＥＥＥ  ８０２．１Ｑｂｂに規定されるフレーム優先度を考慮したＰａｕｓｅフレームを用いた場合の省電力制御動作を説明する。通信装置５０２と図６の通信装置５０１との違いはキュー管理部である。キュー管理部３３−１は、優先度別キュー（＃１、＃２）を有する。図８に示す様に、高優先度サービスのフレームを蓄積するキューを＃１とし、それ以外を＃２として流入フレームを振り分け、キュー内へのフレーム流入を観測部３４でモニタする。
【００４６】
本実施形態では、高優先度フレームとして、Ｓｅｓｓｉｏｎ  Ｉｎｉｔｉａｔｉｏｎ  Ｐｒｏｔｏｃｏｌ（ＳＩＰ）を利用したＶｏｉｃｅ  Ｏｖｅｒ  Ｉｎｔｅｒｎｅｔ  Ｐｒｏｔｏｃｏｌ（ＶｏＩＰ）通信に関するフレームが流入した場合を説明する。
【００４７】
ＨＧＷ３０２は、図７の説明と同様に制御メッセージ１をＯＮＵ２０１へ送信する。すなわち、観測部３４は、上りフレームの入力状況やキュー管理部３３−１のフレーム蓄積量をモニタする。そして、タイマ３５により測定される所定の時間内に上りフレームの流入を観測できない場合、制御フレーム生成部４２はｔ１［ｍｓ］のフレーム送信を停止させるＰａｕｓｅフレームを生成しＯＮＵ２０１へ送信する。
【００４８】
このＰａｕｓｅフレームには、高優先度サービスのフレームが流入した場合においては、ｔ１［ｍｓ］の間に関係なく、フレーム送受信部の停止を解除し起動させ、即座にフレーム送信を許可するための情報が含まれている。ＨＧＷ３０２からＯＮＵ２０１へＰａｕｓｅフレームを送信した後、図７の説明と同様に適切な時間が経過した後、ＯＮＵ２０１及びＨＧＷ３０２はフレーム送受信部（２７、３７）を停止させる。
【００４９】
図９及び図１０に示すように、上りフレームの送信停止中にキュー＃１が流入した場合（ステップＳ０２、Ｓ０３）、観測部３４は、通常処理部３２に上りフレーム送信部３７ａの起動を指示し（ステップＳ０４）、停止／起動制御部３８より上りフレーム送信部３７ａの起動を指示して上りフレーム送信部３７ａを起動させる（ステップＳ０５）。その後、ＨＧＷ３０２は、ＯＮＵ２０１へ起動を指示（Ａｗａｋｅ信号）して上り信号受信部２７ｂを起動させる。
【００５０】
その後、ＨＧＷ３０２は、キュー＃１のフレームを全て送信する（ステップＳ０６）。この時に、フレーム送信停止期間内であった場合（ステップＳ０７）には、停止／起動制御部３８は、通常処理部３２に対して上りフレームの送信停止を指示し（ステップＳ０８）、適切な時間が経過した後、上りフレーム送信部３７ａを停止させる（ステップＳ０９、Ｓ１０）。この動作を繰り返す。
【００５１】
本実施形態では、停止する対象を上り及び下りのフレーム送受信部（２７、３７）としたが、それに限らず各々の停止期間中に別の部位を停止させても良い。また、Ｐａｕｓｅフレームを送信する通信装置は、ＨＧＷとしたが、ＯＮＵとしても良い。本実施形態の場合、Ｐａｕｓｅフレームによるフレーム送信停止期間は、３０［ｍｓ］としたが、任意の値を設定することが可能である。また、高優先度サービスとして、ＶｏＩＰ通信を例として説明したが、これに限らず特定のサービスを指定して優先的にフレームを送信させても良い。
【００５２】
本実施形態は、フレーム送受信部の停止期間中でありながら、高優先度サービスもしくは特定サービスに係わるフレームを優先的に送信させることができるため、高優先度サービスに許容される遅延時間を満たしつつ、省電力化効果を向上させることができる。
【００５３】
（実施形態２）
本実施形態は、実施形態１とは異なり制御フレームとしてＰａｕｓｅフレーム及びＩＥＥＥ  ８０２．３ａｚにおいてＥＥＥで規定されるＬＰＩ信号を用いる。本実施形態の通信装置の構成は図６と同じである。本実施形態の省電力制御方法を図６及び図１１のシーケンスを用いて説明する。
【００５４】
本実施形態の省電力制御方法は、加入者の通信端末と局側通信装置（ＯＬＴ）とを接続する光通信ネットワークに配置され、前記ＯＬＴと接続する加入者終端装置（ＯＮＵ）と、前記ＯＮＵと前記通信端末とを接続する加入者側ゲートウェイ（ＨＧＷ）と、を含む通信装置の省電力制御方法であって、
前記ＯＮＵが、所定情報に基づき生成した休止時間を含む制御メッセージを前記ＨＧＷへ送信する制御メッセージ生成送信手順と、
前記制御メッセージ生成送信手順の後、前記ＯＮＵが前記ＨＧＷへ休止を指示する下りスリープ指示を送信するとともに前記ＨＧＷへの下りフレームのフレーム送信を停止し、前記下りスリープ指示を受信した前記ＨＧＷが下りフレームのフレーム受信を停止する下り方向停止手順と、
前記下り方向停止手順の後、前記ＨＧＷが前記ＯＮＵへ休止を指示する上りスリープ指示を送信するとともに前記ＯＮＵへの上りフレームのフレーム送信を停止し、前記上りスリープ指示を受信した前記ＯＮＵが上りフレームのフレーム受信を停止する上り方向停止手順と、
前記上り方向停止手順の後、前記ＯＮＵ及び前記ＨＧＷが、前記制御メッセージを受信した時刻及び前記前記休止時間に基づき、自身の一部の部品への給電制限を行う給電制御手順と、
を行うことを特徴とする。
【００５５】
本実施形態では、「所定情報」がＯＮＵ及びＨＧＷへ流入するフレーム量である。
【００５６】
［ＯＮＵでの制御メッセージ生成送信手順］
まず、観測部２４は、ＯＮＵ２０１への上りフレームの入力状況やキュー管理部２３のフレーム蓄積量をモニタする。そして、観測部２４は、タイマ２５が測定する一定時間内にフレーム流入が観測されない場合、停止／起動制御部２８へその旨を通知する。停止／起動制御部２８は、その通知を受け、制御フレーム生成部４１に対して制御フレーム１の生成を指示する。制御フレーム生成部４１により生成された制御フレーム１は、通常処理部２２、あるいはフレーム送受信部２７を介してＨＧＷ３０１へ転送される。
【００５７】
制御フレーム１は、例えば、フロー制御のためのフレームとして、ＩＥＥＥ  ８０２．３において規定されるＰａｕｓｅフレームである。また、Ｐａｕｓｅフレームには、ｔ１［ｍｓ］の間、ＨＧＷ３０１からＯＮＵ２０１への上りフレームの送信停止指示に関する情報が含まれている。ｔ１の値は、任意の時間を設定することができる。例えば、３０［ｍｓ］である。ｔ１の値は遅延に関わる。そのため、ｔ１の値は、通信サービスを妨げないように要求される遅延時間を考慮した上で設定される必要がある。
【００５８】
［下り方向停止手順、下り方向給電制御手順］
その後、ＯＮＵの停止／起動制御部２８は、通常処理部２２に対して下りフレーム送信停止を指示する。下りフレーム送信部２７ａは、通常処理部２２から停止指示を受けた後、ＨＧＷ３０１へＬＰＩ信号を送信する。ＨＧＷ３０２の下りフレーム受信部３７ｂが当該ＬＰＩ信号を受信し、適切な時間が経過した後に、ＯＮＵの下りフレーム送信部２７ａ及びＨＧＷの下りフレーム受信部３７ｂは停止する。すなわち、ＯＮＵ２０１は、下りフレーム送信部２７ａへの給電の制限を始め、ＨＧＷ３０１は、下りフレーム受信部３７ｂへの給電の制限を始める。
【００５９】
［ＨＧＷでの制御メッセージ生成送信手順］
その後、観測部３４は、ＨＧＷ３０１への下りフレームの入力状況やキュー管理部３３のフレーム蓄積量をモニタする。そして、観測部３４は、タイマ３５が測定する一定時間内にフレーム流入を観測できない場合、停止／起動制御部３８へその旨を通知する。停止／起動制御部３８は、その通知を受け、制御フレーム生成部４２に対して制御フレーム２の生成を指示する。制御フレーム生成部４２により生成された制御フレーム２は、通常処理部３２を介してＯＮＵ２０１へ転送される。
【００６０】
制御フレーム２は、例えば、フロー制御のためのフレームであるＰａｕｓｅフレームである。また、Ｐａｕｓｅフレームには、ｔ２［ｍｓ］の間、ＨＧＷ３０１からＯＮＵ２０１への上りフレームの送信停止指示に関する情報が含まれている。ｔ２［ｍｓ］の値は、任意の時間を設定することができる。例えば、２５［ｍｓ］である。ｔ２の値は遅延に関わる。そのため、ｔ２の値は、通信サービスを妨げないように要求される遅延時間を考慮した上で設定される必要がある。また、ｔ２はｔ１よりも短い時間が設定されることが考えられる。さらに、ｔ１とｔ２は、ＯＮＵとＨＧＷとがほぼ同時に起動できるようにＯＮＵ、ＨＧＷ間でのＲＴＴ（Ｒｏｕｎｄ  Ｔｒｉｐ  Ｔｉｍｅ）を考慮して設定されることが望ましい。
【００６１】
［上り方向停止手順、上り方向給電制御手順］
その後、ＨＧＷの停止／起動制御部３８は、通常処理部３２に対して上りフレーム送信停止を指示する。上りフレーム送信部３７ａは、通常処理部３２から停止指示を受けた後、ＯＮＵ２０１へＬＰＩ信号を送信する。ＯＮＵ２０１の上りフレーム受信部２７ｂが当該ＬＰＩ信号を受信し、適切な時間が経過した後に、ＨＧＷの上りフレーム送信部３７ａ及びＯＮＵの上りフレーム受信部２７ｂは停止する。すなわち、ＨＧＷ３０１は、上りフレーム送信部３７ａへの給電の制限を始め、ＯＮＵ２０１は、上りフレーム受信部２７ｂへの給電の制限を始める。
【００６２】
各フレーム送受信部（２７、３７）の停止期間中に流入するフレームは、キュー管理部（２３、３３）内に蓄積される。ＯＮＵ２０１は、タイマ２５で制御メッセージ２を受信してからの時間を計測する。ＨＧＷ３０１は、タイマ３５で制御メッセージ１を受信してからの時間を計測する。ＯＮＵ２０１は、制御メッセージ２を受信してからｔ２経過後、停止／起動制御部２８が通常処理部２２に対してフレーム送受信部２７の起動を指示し、起動させる。また、ＨＧＷ３０１は、制御メッセージ１を受信してからｔ１経過後、停止／起動制御部３８が通常処理部３２に対してフレーム送受信部３７の起動を指示し、起動させる。フレーム送受信部２７とフレーム送受信部３７の起動はほぼ同時であることが望ましい。ＯＮＵ２０１は、フレーム送受信部２７の起動後、ＨＧＷ３０１へＡｗａｋｅ信号を送信する。これを受信したＨＧＷ３０１は、フレーム送受信の準備を完了する。その後、ＯＮＵ２０１及びＨＧＷ３０１は、停止期間中にキュー管理部（２３、３３）内に蓄積されたフレームを相手方へ送信する。
【００６３】
上記例では、制御メッセージ１、２としてＰａｕｓｅフレームを用いたが、Ｐａｕｓｅフレームを拡張したフレームでも良い。また、８０２．１Ｑｂｂにおいて規定されるフレーム優先度を考慮したＰａｕｓｅフレームを用いても良い。また、制御プロトコルであるＬＬＤＰ（Ｌｉｎｋ  Ｌａｙｅｒ  Ｄｉｓｃｏｖｅｒｙ  Ｐｒｏｔｏｃｏｌ）を用いても良い。
【００６４】
上記例では、第一にＯＮＵが制御メッセージ１としてＰａｕｓｅフレームを送信し、第二にＨＧＷが制御メッセージ２としてＰａｕｓｅフレームを送信しているが、第二のＨＧＷからのＰａｕｓｅフレーム送信を省略しても良い。
【００６５】
（実施形態３）
本実施形態は、実施形態１、２と異なりＯＬＴからのＯＮＵスリープメッセージにおける給電制御に関する情報を元に制御メッセージを生成する。本実施形態の通信装置の構成は、図６と同じである。本実施形態の省電力制御方法は、前記所定情報が、前記ＯＬＴから前記ＯＮＵへ送信される省電力制御に関する開始メッセージである。
【００６６】
図６の構成図及び図１２のシーケンスを用いて、ＯＮＵがＨＧＷへ制御フレームを送信する省電力動作を説明する。本実施形態では、「所定情報」がＯＮＵが受信するＯＬＴからのＯＮＵスリープに関する情報である。
【００６７】
［制御メッセージ生成送信手順］
まず、ＯＬＴが所定の時間に無通信状態を検出すると、ＯＮＵの省電力制御開始のメッセージであるＳｌｅｅｐ許可のメッセージを送信する。本メッセージを受信したＯＮＵ２０１は、無通信状態の場合、スリープ／起動制御部２６が応答メッセージであるＡＣＫをＯＬＴに送信し、一定時間後にＯＮＵ２０１を構成する一部の部品に対して給電制御を開始する。
【００６８】
Ｓｌｅｅｐ許可メッセージには、ＯＮＵが一部の部品に対して給電制御する時間であるＳｌｅｅｐ時間に関する情報が含まれている。Ｓｌｅｅｐ時間をＴ＿ｓｌｅｅｐ［ｍｓ］とし、ここでは２０［ｍｓ］とする。
【００６９】
観測部２４は、スリープ／起動制御部２６がＳｌｅｅｐ許可メッセージを受けて給電制限を開始したことを検知し、停止／起動制御部２８へその旨を通知する。停止／起動制御部２８は、その通知を受け、制御フレーム生成部４１に対して制御フレーム１の生成を指示する。制御フレーム生成部４１は、Ｓｌｅｅｐ時間に関する情報を元に、Ｐａｕｓｅフレームを生成する。Ｐａｕｓｅフレームに含まれる送信停止期間ｔ［ｍｓ］は、Ｔ＿ｓｌｅｅｐ［ｍｓ］と比較して、処理遅延やフレーム生成における遅延時間を見越して設定される。従って、Ｔ＿ｓｌｅｅｐとｔの関係は、Ｔ＿ｓｌｅｅｐ＞ｔなどが考えられる。制御フレーム生成部により生成されたＰａｕｓｅフレームは、通常処理部２２、あるいはフレーム送受信部２７を介し、適切な時間が経過した後にＨＧＷ３０１へ転送される。
【００７０】
［下り方向及び上り方向送信停止手順、給電制御手順］
送信停止手順及び給電制御手順については、実施形態２の説明と同様である。
【００７１】
本実施形態では、停止する対象を上り及び下り送受信部としてが、それに限らず各々の停止期間中に別の部位を停止させても良い。
【００７２】
本実施形態では、Ｐａｕｓｅフレームにおける送信停止期間をＯＮＵの一部の部品に対する給電停止期間の情報を元に設定するため、ＯＮＵの給電制御タイミングと連動させることができ、通信装置だけでなく、アクセスネットワーク全体の省電力効果を向上させることができる。
【００７３】
以下の実施形態４及び実施形態５は、前記給電制御手順では、フレームの送信を停止している前記ＯＮＵ自身及び前記ＨＧＷ自身に入力されるフレームを監視し、フレームに関する情報が所定要件に合致した場合、前記給電制限を解除して送信を再開させることを説明する。
【００７４】
（実施形態４）
本実施形態は、例えば、Ｐａｕｓｅフレームに含まれるフレームの送信停止期間ｔ［ｍｓ］中に、高優先度のフレームが流入した場合において、高優先度フレームに許容される遅延時間を考慮し、フレーム送信部を起動し、フレームを即座に送信する場合の省電力制御方法である。本実施形態を、図８に示す関連する通信装置の構成と、図１３に示すシーケンス図を用いて説明する。
【００７５】
本実施形態では、高優先度フレームとして、Ｓｅｓｓｉｏｎ  Ｉｎｉｔｉａｔｉｏｎ  Ｐｒｏｔｏｃｏｌ（ＳＩＰ）を利用したＶｏｉｃｅ  Ｏｖｅｒ  Ｉｎｔｅｒｎｅｔ  Ｐｒｏｔｏｃｏｌ（ＶｏＩＰ）通信に関するフレームが流入した場合を説明する。
【００７６】
本実施形態も、実施形態２と同様に、ＯＮＵ及びＨＧＷの上り及びフレーム送受信部を停止させる。上りフレームの送信停止中に、キュー＃１に優先度の高いフレームが流入した場合、観測部３４は、通常処理部３２に上りフレーム送信部３７の起動を指示し、上りフレーム送信部３７ａを起動させる。その後、ＨＧＷ３０２は、ＯＮＵ２０１へ起動を指示（Ａｗａｋｅ信号）して上り信号受信部２７ｂを起動させる。
【００７７】
本実施形態では、停止する対象を上り及び下りのフレーム送受信部（２７、３７）としたが、それに限らず各々の停止期間中に別の部位をを停止させても良い。また、Ｐａｕｓｅフレームを送信する通信装置は、ＨＧＷとしたが、ＯＮＵとしても良い。本実施形態の場合、Ｐａｕｓｅフレームによるフレーム送信停止期間は、３０［ｍｓ］としたが、任意の値を設定することが可能である。また、高優先度サービスとしてＶｏＩＰ通信を例として説明したが、これに限らない。
【００７８】
本実施形態では、Ｐａｕｓｅフレームのフレーム送信停止ｔ［ｓ］期間中であっても、高優先度サービスのフレームが流入した場合、即時に給電停止部位への起動を指示するため、遅延要求に応じたフレーム送信が可能であり通信品質を保持することができる。
【００７９】
（実施形態５）
本実施形態は、実施形態４と異なり、制御メッセージとして例えば、Ｐａｕｓｅフレームに記載されるフレームの送信停止期間ｔ［ｓ］中に、キュー管理部のしきい値バッファがしきい値を超えて場合の動作である。本実施形態を図８の構成及び図１４のシーケンスを用いて説明する。
【００８０】
実施形態４の説明と同様に、ＨＧＷからＯＮＵへＰａｕｓｅフレーム（制御メッセージ１）を送信する。その後、実施形態２と同様に、ＯＮＵ及びＨＧＷのフレーム送受信部（２２、３２）を停止する。
【００８１】
給電制限中（ｔ［ｓ］期間中）に、ＨＧＷ３０１へ上りフレームの流入がありキュー管理部３３内で蓄積が開始する。キュー管理部３３内に蓄積するフレームを観測部３４とタイマ３５によりモニタすることで、上りフレームの蓄積量が把握できる。例えば、ある一定時間内にＨＧＷ３０１へ流入する上りフレーム量がしきい値フレーム量ｘ＿ｔｈ以下であった場合、観測部３４は、継続してキュー管理部３３内に上りフレームを蓄積させる。一方、ある一定時間内に流入する上りフレーム量がしきい値フレーム量ｘ＿ｔｈ以上になった場合、停止／起動制御部３８は、通常処理部３２に対して上りフレームの送信開始を指示した後に、上り信号送信部３７ａを起動させる。その後、ＨＧＷ３０１は、ＯＮＵ２０１へ起動を指示（Ａｗａｋｅ信号）して上り信号受信部２７ｂを起動させる。
【００８２】
本実施形態では、給電停止対象を上りフレーム送受信部及び下りフレーム送信部としたが、それに限らず通信インターフェースの一部の回路を除いた部位への給電停止をしても良い。
【００８３】
本実施形態は、Ｐａｕｓｅフレームのフレーム送信停止期間ｔ［ｓ］中であっても、フレーム溢れを起こすことなく、省電力効果を向上させることができる。
【００８４】
[付記]
以下は、本実施形態の通信装置及び省電力制御方法を説明したものである。
（１）：
加入者側ポイント・トゥ・マルチポイント型光通信ネットワークにおいて、上位側に局側通信装置と下位側に通信端末を接続する通信装置の省電力制御方法であって、
前記通信装置は、加入者終端装置と加入者側ゲートウェイ装置を有し、前記加入者終端装置または前記加入者ゲートウェイ装置は、任意の情報を基に、１つまたは複数の制御メッセージを生成し、当該制御メッセージを交換する手順を有し、
前記加入者終端装置または前記加入者ゲートウェイ装置は、制御メッセージを元に通信装置の一部の部品を給電制御する手順を有し、通信装置の給電制御時間を増やす
ことを特徴とする通信装置の省電力制御方法。
【００８５】
（２）：
上記（１）に記載の制御メッセージは、前記加入者側終端装置または前記加入者ゲートウェイ装置から送信されるフロー制御に係わるフレームである
ことを特徴とする上記（１）の通信装置の省電力制御方法。
【００８６】
（３）：
上記（１）に記載の制御メッセージは、前記加入者終端装置または前記加入者ゲートウェイ装置から送信される送信フレームの優先度を考慮したフロー制御に係わるフレームであることを特徴とする上記（１）の通信装置の省電力制御方法。
【００８７】
（４）：
上記（１）に記載の制御メッセージは、前記加入者終端装置または前記加入者ゲートウェイ装置から送信される物理インターフェースへの給電制御のための信号であることを特徴とする上記（１）〜（３）に記載の通信装置の省電力制御方法。
【００８８】
（５）：
上記（１）に記載の制御メッセージは、局側通信端末から加入者終端装置に送信される給電制御の情報を元に生成されることを特徴とする上記（１）〜（４）に記載の通信装置の省電力制御方法。
【００８９】
（６）：
上記（１）〜（５）に記載の通信端末に特定のフレームが入力した場合、給電制御期間中に関わらず給電を再開し、即時にフレームを送信することを特徴とする上記（１）〜（５）に記載の通信装置の省電力制御方法。
【００９０】
（７）：
上記（１）〜（６）に記載の通信端末の給電制御期間中に入力するフレームを蓄積するキュー管理部において、当該給電制御期間中にキュー管理部で蓄積するフレーム蓄積量がしきい値を超えた場合、給電制御期間中に関わらず給電を再開し、即時にフレームを送信することを特徴とする上記（１）〜（６）に記載の通信装置の省電力制御方法。
【００９１】
（８）：
加入者側ポイント・トゥ・マルチポイント型光通信ネットワークにおいて、上位側に局側通信装置と下位側に通信端末を接続する通信装置であって、
前記通信装置は、加入者終端装置と加入者側ゲートウェイ装置を有し、  前記加入者終端装置または前記加入者ゲートウェイ装置は、任意の情報を基に、１つまたは複数の制御メッセージを生成し、当該制御メッセージを交換する機能を有し、
前記加入者終端装置または前記加入者ゲートウェイ装置は、制御メッセージを元に通信装置の一部の部品を給電制御する機能を有する、通信装置の給電制御時間を増やす
ことを特徴とする通信装置。
【００９２】
（９）：
上記（８）に記載の通信装置のキュー管理部において、入力フレームの優先度に応じた複数キューを有することを特徴とする上記（８）に記載の通信装置。
【００９３】
（効果）
本発明によれば、制御メッセージを元に通信装置の省電力制御タイミングを連携させることで、通信装置の省電力効果を高めることができる。
【符号の説明】
【００９４】
２１：送受信部
２２：通常処理部
２３：キュー管理部
２４：観測部
２５：タイマ
２６：スリープ／起動制御部
２７：フレーム送受信部
２７ａ：下りフレーム送信部
２７ｂ：上りフレーム受信部
２８：停止／起動制御部
３２：通常処理部
３３、３３−１：キュー管理部
３４：観測部
３５：タイマ
３７：フレーム送受信部
３８：停止／起動制御部
４１、４２：制御フレーム生成部
１００：ＯＬＴ
１５０：光ファイバ伝送路
２００、２０１：ＯＮＵ
２５０：光スプリッタ
３００、３０１、３０２：ＨＧＷ
５００、５０１、５０２：通信装置
【図１】
2015088823.tif 000003
【図２】
2015088823.tif 000004
【図３】
2015088823.tif 000005
【図４】
2015088823.tif 000006
【図５】
2015088823.tif 000007
【図６】
2015088823.tif 000008
【図７】
2015088823.tif 000009
【図８】
2015088823.tif 000010
【図９】
2015088823.tif 000011
【図１０】
2015088823.tif 000012
【図１１】
2015088823.tif 000013
【図１２】
2015088823.tif 000014
【図１３】
2015088823.tif 000015
【図１４】
2015088823.tif 000016